(57)【要約】【課題】透過型液晶表示装置において、従来公知、周知のタイプのバックライトがなくても、液晶を透過させる部分に対して均等に光を照射し、かつより良い画像を出し得る装置を提供することを目的とする。【解決手段】光源２１、２１から取り入れられて本来は臨界角を超えられずに光源部材２０内に閉じ込められる状態になるべき光を、面光源である光源部材２０に付けたキズ２２が光源部材２０の内部での反射角を変化させ、透過部分３側の面２２ａから外に漏れるようにする。その光の漏れ具合をキズの量や凹凸の度合い、換言すれば、透過部分３における光源となる。そして、キズ２２の密度、すなわち非平滑性の密度を調節し、照らしたい部分一面に均一に光を当てることを可能にしている。【選択図】図６
2008043627.tif 000002
【特許請求の範囲】
【請求項１】
液晶を透過させる部分を有する透過型液晶表示装置において、透明樹脂、透明ガラスまたはこれらと類似する光源部材と、該光源部材の対向する両端または片端に光源を配してなる光源部を備え、前記光源部材の前記液晶の透過部分側の面あるいはその反対側の面の少なくともいずれか一方の面を、キズ、凹凸等を設けて非平滑面部とし、非平滑面部の非平滑度を部位によって異ならせ、前記液晶の透過する部分に対して均一に光を照射可能としてなるように傾斜配置した液晶光源装置を有することを特徴とする透過型液晶表示装置。
【請求項２】
前記非平滑面部を複数の平行な帯状に形成したことを特徴とする請求項１の透過型液晶表示装置。
【請求項３】
前記非平滑面部は、前記光源部材中に前記光源部から取り入れられた光を反射角の変化で外方へ射出可能とするものであることを特徴とする請求項１または２の透過型液晶表示装置。
【請求項４】
一つの前記液晶の透過する部分に対して、前記液晶光源装置を一対対向させて設けてなることを特徴とする請求項１から３のいずれかの透過型液晶表示装置。
【請求項５】
前記非平滑面部のキズ、凹凸等の非平滑部分を２段階以上に、好ましくは３段階以上に設定してなることを特徴とする請求項１から４のいずれかの透過型液晶表示装置。
【請求項６】
請求項１から５のいずれかの透過型液晶表示装置を備えることを特徴とする遊技機。
【請求項７】
請求項１から５のいずれかの透過型液晶表示装置を備えることを特徴とする表示装置。
【発明の詳細な説明】
【技術分野】
【０００１】
本発明は、液晶を透過させる部分有する透過型液晶表示装置、及びこれを用いた遊技機や表示装置に関する。
【背景技術】
【０００２】
パチンコ機やパチスロ機等の遊技機においては、遊技球が所定の穴等に入ることにより、盤面に設けられた画像表示装置上でスロットマシンに類似するゲームを行えるようになり、それによって遊技者の興趣を増すようにしている者が主流となっている。
【０００３】
この様な遊技機においては、画像表示装置での表示に一段と工夫が凝らされるようになってきており、例えば、液晶ディスプレイ上に動画、実写映画等のような動く画像等の多彩な画像表示を行う等は当然のようになってきている。その一方で、スロットマシンに類似するゲームを行えるようにするために、画像表示装置は液晶ディスプレイと液晶シャッタを組み合わせ、液晶ディスプレイの背後に位置するスロットマシンに類似したリールを見せたり、隠したりしなければならなくなっている。
【０００４】
すなわち、例えば図１に示すように、液晶画面１の一部を透過させ、背景にあるリール２を見せるためには、液晶画面１を構成する液晶ガラスの背面側は透過させて透過部分３を構成し、図１（Ｂ）に示すように、見せる対象物であるリール２以外はあたかも何も存在しないかのような状態にする必要がある。
【０００５】
図２はこの種の透過型液晶表示装置の一例を示す正面側斜視図（Ａ）、背面側斜視図（Ｂ）であり、図３は、図２（Ｂ）を中央で縦に切断して示す背面側斜視拡大断面図である。液晶画面１は、中央の透過部分３と、その周囲の非透過部分４とに分かれており、図２では示していないがリール２は透過部分３の背面側に位置することになる。
【０００６】
一方、背面側から見た図２（Ｂ）、図３には液晶モジュール５を示してあるが、透過部分３に対応する位置には、導光板６も、バックライト７もあってはならず、また冷陰極蛍光ランプ（ＣＣＦＬ）８、９も存在させられない。なお図中８は液晶モジュール５中のＣＣＦＬ、図中９は導光板６が無い箇所に対する照明用のＣＣＦＬである。
【０００７】
【特許文献１】特開平７−２８９７０６号公報
【特許文献２】特開２００４−８７０５号公報
【発明の開示】
【発明が解決しようとする課題】
【０００８】
ところで上述のような液晶ディスプレイ１用の、あるいはリール２を照明するためのバックライトであるＣＣＦＬ８、９等は、図４（Ａ）に示すように、液晶モジュール５の透過部分３のＡ〜Ｃの各ポイントに対して均一に光を当てるように面光源１０を配置する必要がある。図４（Ｂ）のような点光源１１で面としての広がりを持つ透過部分３を均一に照明しようとすることは無理で、Ａ〜Ｃの各ポイントで明るさが異なってしまうからである。
【０００９】
しかしながら、面光源を用いれば、当然透過部分３の背後に位置してしまうため、実施は難しいかあるいは不可能であり、当然バックライト無しの状態では透過部分３の画面上には光がいかないので、透過部分３が真っ暗になり、液晶画面１の映像が非常に見えづらいか、あるいは見えなくなってしまう。
【００１０】
また図５に示すように面光源１０を２つに分離して設ければ、背景物が見えやすくはなるが、二つの面光源１０、１０から発せられる光の光路長が異なってしまうため点Ｂが暗く、点Ａが明るくなってしまい、均一には光が当たらない。また点Ｃの明るさも異なるものになるし、点Ａ、Ｂ間だけでなく全面的に透過部分３の端部側（点Ａ側）から中央側（点Ｂ側）へ向かうにつれて明るさが徐々に変化してしまうという問題もある。
【００１１】
そこで図１に示すような装置構成を実現するためには、他の光源を確保しなければならず、例えば回転するドラム２の内部に光源を入れ、ドラム２自体を光源とするもの、非透過部分４の背面に光源を配置して反射板で光を集めるもの、さらにはこれら２つのタイプの併用や、２つのタイプを組み合わせたタイプの照明方法が主に採用されていたが、構造的に複雑になり、コスト高になる等の多くの問題があり、解決が望まれていた。
【００１２】
本発明は、上述した従来の問題点にかんがみてなしたもので、透過型液晶表示装置において、従来公知、周知のタイプのバックライトがなくても、液晶を透過させる部分に対して均等に光を照射し、かつより良い画像を出し得る装置を提供することを目的とする。
【課題を解決するための手段】
【００１３】
本発明の請求項１に係る透過型液晶表示装置は、液晶を透過させる部分を有する透過型液晶表示装置において、透明樹脂、透明ガラスまたはこれらと類似する光源部材と、該光源部材の対向する両端または片端に光源を配してなる光源部を備え、前記光源部材の前記液晶の透過部分側の面あるいはその反対側の面の少なくともいずれか一方の面を、キズ、凹凸等を設けて非平滑面部とし、非平滑面部の非平滑度を部位によって異ならせ、前記液晶の透過する部分に対して均一に光を照射可能としてなるように傾斜配置した液晶光源装置を有することを特徴とする。
【００１４】
同請求項２に係るものは、請求項１の透過型液晶表示装置において、前記非平滑面部を複数の平行な帯状に形成したことを特徴とする。
【００１５】
同請求項３に係るものは、請求項１または２の透過型液晶表示装置において、前記非平滑面部は、前記光源部材中に前記光源部から取り入れられた光を反射角の変化で外方へ射出可能とするものであることを特徴とする。
【００１６】
すなわち、透明な樹脂やガラス等の素材からなる面光源の両端あるいは片端に光源を配し、樹脂等にキズを付けたり、凹凸等を設けたりしておく。樹脂等の中にその端部に配した光源から取り入れられた光は、本来的には元々臨界角を超えられずに、面光源内に閉じ込められている状態になるので、表面にキズや凹凸を付け、面光源内部での反射角を変化させ、外に光が漏れるようにする。その光の漏れ具合をキズの量や凹凸の度合い、換言すれば、非平滑性の密度で調節し、照らしたい部分一面に均一に光を当てることを可能にするものである。
【００１７】
非平滑面部は、徐々に非平滑度が異なるように形成しても良いが、複数の平行な帯状に形成し、各非平滑面部の非平滑度を異ならせ、前記液晶の透過する部分に対して均一に光を照射可能としてなるようにすることができる。
【００１８】
同請求項４に係るものは、請求項１から３のいずれかの透過型液晶表示装置において、一つの前記液晶の透過する部分に対して、前記液晶光源装置を一対対向させて設けてなることを特徴とする。
【００１９】
すなわち前記いずれかの透過型液晶表示装置において、一対の液晶光源装置を用いることで、液晶の透過する部分をより均一に照明しやすくするとともに、液晶光源装置を、液晶の透過する部分から外れていて表側からは見えない位置に配置しやすくしている。
【００２０】
同請求項５に係るものは、請求項１から４のいずれかの透過型液晶表示装置において、前記非平滑面部のキズ、凹凸等の非平滑部分を２段階以上に、好ましくは３段階以上に設定してなることを特徴とする。
【００２１】
すなわち前述の光の漏れ具合をキズの量や凹凸の度合い、換言すれば、非平滑性の密度で調節し、照らしたい部分一面に均一に光を当てることを可能にするものである。
【００２２】
同請求項６に係る遊技機は、請求項１から５のいずれかの透過型液晶表示装置を備えることを特徴とする。
【００２３】
同請求項７に係る表示装置は、請求項１から５のいずれかの透過型液晶表示装置を備えることを特徴とする。
【発明の効果】
【００２４】
本発明の透過型液晶表示装置、これを用いた遊技機、表示装置においては、新規なタイプのバックライトにより、液晶を透過させる部分に対して均等に光を照射し、かつ液晶画面の表側からは見えず、そして、より良い画像を出し得るという効果を奏する。
【発明を実施するための最良の形態】
【００２５】
以下本発明を実施するための最良の形態を、図に示す実施例を参照して説明する。なお以下の説明では従来と共通する部分には共通する符号を付すにとどめ、重複する図示、説明を省略する。
【実施例１】
【００２６】
図６は、本発明に係る透過型液晶表示装置の一実施例の概略斜視図（Ａ）と図Ａに示した内容の説明図（Ｂ）である。本実施例の透過型液晶表示装置は、液晶画面１の一部に液晶を透過させる部分３を有する透過型液晶表示装置であって、透明樹脂、透明ガラスまたはこれらと類似する光源部材２０と、光源部材２０の対向する両端（片端でも良い）に配設した光源２１、２１からなる光源部を備える。光源部材２０は、液晶画面１の透過部分３側に向く面２０ａに、キズ、凹凸等２２（以下、特に必要がなければ単にキズ２２という。）を設けて非平滑面部としある。またキズ２２を設けていない透過部分３側と反対側の面２０ｂは平滑面のままとしてある。平滑な反射膜を形成するなどして透過部分３側へ向かう光の量を多くするように構成しても良い。なお、図示の例では光源部材２０を一つのみ示した構成としてあるが、図５と同様に２枚の光源部材２０を一対対向させて構成しても良い。
【００２７】
キズ２２は、非平滑面部２０ａを複数に区分するように、複数の平行な帯状に形成してある。なお図示の例ではキズの密度を異ならせて帯状の部分を３本（符号２３ａ、２３ｂ、２３ｃで示す。）としてあるが、本発明はこれに限定されず、透過部分３を均一あるいはほぼ均一に照明できるのであれば、何本の帯状部分を設けても良いし、あるいは帯状に限らず、円環状その他の形状に設けても良い。またまったくそのような区分を設けず、なめらかにキズ２２や凹凸の度合い等が変化する粗面としても良い。
【００２８】
すなわち本実施例では、光源２１、２１から取り入れられて本来は臨界角を超えられずに光源部材２０内に閉じ込められる状態になるべき光を、面光源である光源部材２０に付けたキズ２２が光源部材２０の内部での反射角を変化させ、透過部分３側の面２２ａから外に漏れるようにする。その光の漏れ具合をキズの量や凹凸の度合い、換言すれば、透過部分３における光源となる。そして、キズ２２の密度、すなわち非平滑性の密度を調節し、照らしたい部分一面に均一に光を当てることを可能にしている。
【００２９】
なお、図６からはわかりにくいが、光源部材２０と光源２１からなる液晶光源装置は、液晶画面の透過部分３から外れていて液晶画面の表側からは見えない位置に配置することが良いことはもちろんである。
【図面の簡単な説明】
【００３０】
【図１】透過型液晶表示装置の基本的形態を示す斜視図
【図２】透過型液晶表示装置の一例を示す正面側斜視図（Ａ）、背面側斜視図（Ｂ）
【図３】図２（Ｂ）を中央で縦に切断して示す背面側斜視拡大断面図
【図４】面光源での照明（Ａ）と点光源での照明形態を示す概念図
【図５】面光源を２つに分離して設けた照明形態を示す概念図
【図６】本発明に係る透過型液晶表示装置の一実施例の概略斜視図（Ａ）と図Ａに示した内容の説明図（Ｂ）
【符号の説明】
【００３１】
１：液晶画面
２：リール
３：液晶画面の透過部分
４：同非透過部分
５：液晶モジュール
６：導光板
７：バックライト
８、９：冷陰極蛍光ランプ（ＣＣＦＬ）
１０：面光源
１１：点光源
２０：光源部材
２０ａ：透過部分側の面
２０ｂ：透過部分と反対側の面
２１：光源
２２：キズ、凹凸等
２３ａ、２３ｂ、２３ｃ：帯状の部分
【図１】
2008043627.tif 000003
【図２】
2008043627.tif 000004
【図３】
2008043627.tif 000005
【図４】
2008043627.tif 000006
【図５】
2008043627.tif 000007
【図６】
2008043627.tif 000008